(57)【要約】  火災時に建築物から避難させるための電気機械装置。電気機械装置は、剛性のある管（１）の内部を介して縦方向に通過し、人が固定される避難ハーネスで終わる係留索（３６）を巻き上げる巻取機（９）を有する。人の重さは、剛性のある管（１）と制動円盤（５）を有するレバー（１４）を揺動させることを可能にし、機械的伝達システムによって、制動円盤（５）に作用し、巻取機（９）の制動及び／又は保持、結果として、人の降下を許可する。無線制御ユニット（７４）と人の降下の速度が速すぎる場合に活性化されるスタンドアロンの電気電子安全システム（７４、７５、７６、７７）とが存在する。装置は、避難を可能にし、一度だけ使用され、再使用することができる。装置は、運び、制動し、保持し、及び電気機械装置を使用して人を避難させる。【選択図】図１
2015513428.tif 000002
【特許請求の範囲】
【請求項１】
基部（２）を保持する主基部（１５）を備え、主基部（１５）に旋回取付部（２０）が吊され、旋回取付部（２０）は、締金（１６、１７）により貫通され、剛性のある管（１）が溶接される保持環（１８）を支持する取っ手（２１、２２）を備え；剛性のある管（１）は、その外側後部が案内部（１９）を軸受筒（３８）に載置すると共に、その前部がロックピストン（３２）により固定され、その組立体と無線制御ユニット（７４）との組み合わせにより、剛性のある管（１）に９０ーの回転と正確な配向を提供し、人及び人々の降下と引き離しを可能にし、ファサードに関して、剛性のある管（１）が固定される場合に特性が保持され、より長い取っ手（２１、２２）が主基部（１５）に直接的に溶接されるオプションにおいて、基部（２）、旋回取付部（２０）、案内部（１９）、及び軸受筒（３８）が破棄されることを特徴とする、建築物における火災から人々を救助するための電気機械装置。
【請求項２】
締金（１１）を有する保持部（１０）によって主基部（１５）に取り付けられ、一端で、軸受筒（３８）に支持され、他端で、目印（７１）を組み入れる制動円盤（５）に接し、且つ主基部（１５）の下部に溶接された締付捻子（８）で貫かれた支持部（７）を有する下側制動円盤（６）に載置する上側制動円盤（４）を有する支持部（３）を保持するレバー（１４）を有し、主基部（１５）の上部にレバー（１４）と主基部（１５）とを通過する捻子（１２）を組み入れる留捻子（１３）とロック留捻子（５２）とを有する座金（３７）が存在し、これらの全ての組み合わせにより、降下中に人又は人々の重さによりもたらされ、剛性のある管（１）に印加された合力は、レバー（１４）の揺動と調整によって全ての制動システムに伝達する、請求項１に記載の建築物における火災から人々を救助するための電気機械装置。
【請求項３】
連結された電動機（６４）とクラッチ（６１）を通過する軸（６２）とを有する歯車箱（６３）を支持する支持部（５８）が提供され、これは、エンコーダ（７３）と主基部（１５）に溶接され、支持部（５４）を有する巻取機（９）を保持する軸（７２）とを組み入れるダイバージョン（４０）に連結された小歯車（５１）によって、順番に、制動円盤（５）に接する、請求項１又は２に記載の建築物における火災から人々を救助するための電気機械装置。
【請求項４】
主基部（１５）の上部で溶接されると共に電気ピストン（５６、５７）と電磁石（４９、５０）とを保持する支持部（５５）が提供され、発条（４１、４２、４３、及び４４）の全ては、上側制動円盤の支持部（３）に保持され、筐体（４５、４６、４７、及び４８）により保護される、請求項１から３の何れか一項に記載の建築物における火災から人々を救助するための電気機械装置。
【請求項５】
下部で主基部（１５）に溶接された検出器保持部（６５）により固定された検出器（６６、６７）を有する、請求項１から４の何れか一項に記載の建築物における火災から人々を救助するための電気機械装置。
【請求項６】
下部で主基部（１５）に溶接されると共に検出器（６８、６９）を組み入れる調整器（７０）を保持する保持部（３９）が提供される、請求項１から５の何れか一項に記載の建築物における火災から人々を救助するための電気機械装置。
【請求項７】
蓄電器（７６）と警告灯（７９）とを有する無停電電源システム（７５）と通信する電気電子キャビネット（７７）によって、電気機械装置と通信する無線制御ユニット（７４）を有する、請求項１から６の何れか一項に記載の建築物における火災から人々を救助するための電気機械装置。
【発明の詳細な説明】
【技術分野】
【０００１】
本発明は、人（及び動物）を地上に降ろすと共に危険地帯から遠ざけて安全に避難させる、火災時に建築物から避難させるために使用される電気機械装置に関する。
【背景技術】
【０００２】
出願人は、自身の発明に関連する如何なる背景についても認識していない。
【発明の概要】
【０００３】
火災時に建築物から避難させるための電気機械装置は、一端が案内部に支持され、且つ先端となる他端がロックピストンに固定された剛性のある管又は腕金を有する。保持環により取り囲まれた管は、旋回取付部の取っ手を有する両方の空孔に配置される２つの締金により軸受筒と共に同時に保持される。これは、湾曲された凹部により、それを支持する基部に対する制止器としての役割を果たす内部締金を有する。混合球軸受と潤滑油と蓋とにより管の回転と傾斜とが達成される。これは、回転を回避するために固定されても良い。このように、主基部に溶接された取っ手、混合球軸受、潤滑油とその蓋、ロックピストン、案内部、旋回取付部、その基部、及び締金が解除される。
【０００４】
装置は、ギザギザの円盤制動機を載置する下側制動円盤を設置する支持部とその上の他の上側制動円盤とに挿通される支持部を有する締付捻子を有する。
【０００５】
これは、締金を有する支持部により取り付けられたレバーによって管と連絡し、捻子が通過する空孔を有する。これは、主基部に載置する座金を固定する留捻子とロック留捻子とを有する。
【０００６】
装置は、それらの検出器を有する２つの安全プランジャと２つの電磁石とに加えて、電動機と、軸を有する歯車箱と、クラッチと、球軸受を有する小歯車と、エンコーダと巻取機を有するダイバージョンと、を支持する支持部を有する。
【０００７】
装置は、巻取機に巻き付けられ、縦方向の内部を通じて剛性のある管を通過し、クリップフックが固定される内部に至り、そこに避難ハーネスが係留される係留索を有する。
【０００８】
装置は、無停電電源システムと、蓄電器と、電気基板と、警告灯と、無線制御ユニットと、を有する。
【０００９】
先に説明されたもの全ての結合により、装置は、係留索による十分な降下能力上昇能力を有する；火災又は緊急時に建築物から暗闇の中に飛び降りようとする人又は人々の分離、制動、停留、地上における救助（避難）。
【００１０】
先に説明されたもののより深い理解のために以下の表が添付される：
部品の番号：定義：図の番号
１：剛性のある管：図２、図３、図５、図６、及び図７
２：旋回取付部の基部：図２及び図５
３：上側制動円盤の支持部：図１及び図５
４：上側制動円盤：図１及び図５
５：制動円盤：図１及び図５
６：下側制動円盤：図１及び図５
７：支持部：図１及び図５
８：支持部の締付捻子：図１及び図５
９：巻取機：図１及び図５
１０：レバー保持部：図１、図２、及び図３
１１：レバー保持部の締金：図１、図２、及び図３
１２：固定皿発条：図１
１３：移動自在皿発条：図１
１４：レバー：図１、図２、図３、及び図５
１５：主基部：図１、図２、図３、図４、及び図５
１６：右側取っ手の締金：図５
１７：左側取っ手の締金：図２、図３、及び図５
１８：剛性のある管の保持環：図２、図３、及び図５
１９：剛性のある管案内部：図２及び図５
２０：旋回取付部：図２及び図５
２１：旋回取付部の右側取っ手：図５
２２：旋回取付部の左側取っ手：図２、図３、及び図５
２３：制止器：図５
２４：第２制止器ローラの軸：図５
２５：第３制止器ローラの軸：図５
２６：第４制止器ローラの軸：図５
２７：第２制止器ローラ：図５
２８：先端：図２、図３、図６、及び図７
２９：左側先端の末端：図２及び図３
３０：先端の上側滑車の締金：図２及び図３
３１：先端の下側滑車の締金：図２及び図３
３２：ロックピストン：図７
３３：先端の第２締金：図２及び図３
３４：先端の第３締金：図２及び図３
３５：先端の小さい滑車：図２及び図３
３６：係留索：図２、図３、図５、及び図６
３７：座金（連続体）：図１
３８：後側軸受筒：図２、図３、及び図５
３９：検出器用保持部：図１及び図５
４０：ダイバージョン：図１及び図４
４１：第１発条：図１及び図５
４２：第２発条：図５
４３：第１電磁石の発条：図１及び図５
４４：第２電磁石の発条：図５
４５：第１発条の筐体：図１及び図５
４６：第２発条の筐体：図５
４７：第１電磁石の発条の筐体：図１及び図５
４８：第２電磁石の発条の筐体：図５
４９：第１電磁石：図１及び図５
５０：第２電磁石：図５
５１：クラッチ小歯車：図４
５２：皿留捻子：図１
５３：固定皿連結部：図１
５４：巻取機支持部：図１及び図５
５５：電気ピストンと電磁石の支持部：図１及び図５
５６：第１電気ピストン：図１及び図５
５７：第２電気ピストン：図５
５８：支持構造物：図１及び図４
５９：第１電気ピストンの制止器：図１及び図５
６０：第２電気ピストンの制止器：図５
６１：クラッチ：図１及び図４
６２：クラッチ軸：図４
６３：歯車箱：図１及び図４
６４：電動機：図１及び図４
６５：検出器保持部：図１及び図５
６６：第１検出器：図１
６７：第２検出器：図１及び図５
６８：第１電気ピストンの検出器：図１及び図５
６９：第２電気ピストンの検出器：図５
７０：電気ピストン検出器の調整器：図１及び図５
７１：目印：図１及び図５
７２：巻取軸：図４及び図５
７３：エンコーダ：図４
７４：無線制御ユニット：図６
７５：無停電電源システム：図６
７６：蓄電器：図６
７７：電気基板のキャビネット：図６
７８：装置の主支持部：図６及び図７
７９：警告灯：図６
捻子、留金、クリップ等は、副次的な特徴を有するので定義されない。
【図面の簡単な説明】
【００１１】
本明細書に記載されているもののより深い理解のために、単に一例として、電気機械装置の実施の形態の実例を示す何枚かの図面が添付される。
【００１２】
アメリカンインターナショナルシステムにより律則された図面では、図１は、電気機械装置の（左部分）右側面図であり；図２は、前述の装置の（右部分）右側面図を示し；図３では、頁の順番を維持し、装置の（右部分）右側面図が識別され；図４では、前述の装置の（左部分）正面図を見ることができ；図５は、前述の装置の（右部分）正面図であり；図６では、前述の装置の組立体を見ることができ；図７では、剛性のある管の回転の（２通りの部分）平面図と電気機械装置のピストンロックの他の正面図が識別される。
【００１３】
図１、図２、図３、図４、及び図５の図面は、それらを識別するために削除されるか切断され、それらの整合は、以下の表に詳述された断面の結合によって行う：
−図１の「断面ＡＢ／ＡＣ」は「断面ＡＢ」によって図２に結合する。
−図１の「断面ＡＢ／ＡＣ」は「断面ＡＣ」によって図３に結合する。
−図４の「断面Ｂ」は「断面Ｂ」によって図５に結合する。
【発明を実施するための形態】
【００１４】
電気機械装置は、高温と衝撃に対する抗力だけでなく、積量と膨張の面から最小の変形を有する硬く強靱なステンレス鋼又は類似する材料で形成することができる。電気機械装置は、締付捻子（８）によって制動円盤（５）と支持部（３、７）を有する２枚の制動円盤（４、６）とを支持する主基部（１５）を備える。更に、電気機械装置は、電動機（６４）と、歯車箱（６３）と、クラッチ小歯車（５１）を有するクラッチ（６１）と、エンコーダ（７３）を有するダイバージョン（４０）と、巻取機（９）を保持する巻取機支持部（５４）と、を保持する支持構造物（５８）を有する。巻取機（９）は、係留索（３６）を通じ、取っ手（２１、２２）により、既述の主基部（１５）に取り付けられた剛性のある管（１）又は基部（２）を有する旋回取付部（２０）に連絡する。支持部（５５）は、２つの電気ピストン（５６、５７）と２つの電磁石（４９、５０）とを発条（４１、４２、４３、及び４４）と共に保持する。レバー保持部（１０）により保持されたレバー（１４）は、座金（３７）を有する捻子（１２）を収容する。装置は、電気基板（７７）と、蓄電器（７６）を有する無停電電源システム（７５）と、警告灯（７９）と、無線制御ユニット（７４）と、を更に装備している。
【００１５】
先では電気機械装置の周知の態様が説明される。
【００１６】
電気機械装置の本質的な特徴は、固定することができる管（１）（図２、図３、図５、図６、及び図７）を保持する旋回取付部（２０）（図２及び図５）を有することにある。
【００１７】
電気機械装置の他の著しい特徴は、制動円盤（５）（図１及び図５）が係留索（３６）（図２、図３、５、及び図６）を収容する巻取機（９）（図１及び図５）と組み合わされるということである。
【００１８】
２つの電気ピストン（５６）（図１及び図５）、（５７）（図５）と、２つの電磁石（４９）（図１及び図５）、（５０）（図５）と、レバー（１４）（図１、図２、図３、及び図５）は、制動円盤（５）（図１及び図５）に連絡する。
【００１９】
電気機械装置の他の特徴は、それが無線制御ユニット（７４）（図６）を有し、電気基板（７７）（図６）と蓄電器（７６）（図６）を有する無停電電源システム（７５）（図６）と警告灯（７９）（図６）とが組み合わされるということである。
【００２０】
意図された装置の利点は、先に説明された全てと図面の観察とから顕著である。
【００２１】
先ず、装置のセンターピースであり、主支持部（７８）（図６）に溶接又は螺締された主基部（１５）（図１、図２、図３、図４、及び図５）のミッションが強調されるべきである。この下に溶接された環状基部（２）（図２及び図５）と前述の基部から垂れ下がる環状の旋回取付部（２０）（図２及び図５）とが存在しており、両者の中心を通り、同心、環状、及び上側凹部に配置された基部を有する混合球軸受に頭部により固定された取付捻子が存在する。同心、環状で、下側凹部に連結された前述の旋回取付部を有する混合球軸受が存在する。環状基部（２）（図２及び図５）の結合部は、既出の取付捻子の頭部の反対側に通された留捻子とロック留捻子とで達成される。
【００２２】
保持環（１８）（図２、図３、及び図５）に溶接され、軸受筒を有する２つの対向する空孔が存在する、剛性のある管（１）（図２、図３、図５、図６、及び図７）が存在する。そして、これらは、旋回取付部（２０）（図２及び図５）に平行に溶接された２つの半楕円形取っ手（２１）（図５）、（２２）（図２、図３、及び図５）を有する２つの空孔を通して挿入される２つの締金（１６）（図５）、（１７）（図２、図３、及び図５）を収容する。剛性のある管（１）（図２、図３、図５、図６、及び図７）は、不使用時に案内部（１９）（図２及び図５）に載置する後側軸受筒（３８）（図２、図３、及び図５）を一端に有し、ロックピストン（３２）（図７）により保持される先端（２８）（図２、図３、図６、及び図７）が他端に存在し、そのミッションは剛性のある管（１）（図２、図３、図５、図６、及び図７）の保持環である。この回転は、以下に説明されるように、無線制御ユニット（７４）（図６）を有するボタンから行なわれ、この動作によりロックピストン（３２）（図７）は、剛性のある管（１）（図２、図３、図５、図６、及び図７）を縮退させると共に解放し、旋回取付部（２０）（図２及び図５）とその基部（２）（図２及び図５）との間に存在する内部締金によって９０°だけ回転させる。同時に、それは案内部（１９）（図２及び図５）で傾斜すると共に滑り、最終的に制止器としての役割を果たすレバー（１４）（図１、図２、図３、及び図５）に一致し、装置の使用のためにそれを配置する。
【００２３】
先に説明された全てと組み合わせで、剛性のある管（１）（図２、図３、図５、図６、及び図７）の回転、傾斜、配向、及び使用可能位置は、電気機械装置を利用する各人を建築物から引き離すために達成される。
【００２４】
剛性のある管（１）（図２、図３、図５、図６、及び図７）が固定される第２オプションが存在する。このように、それは使用可能な位置に配向され、取っ手（２１）（図５）、（２２）（図２、図３、及び図５）がより大きな長さを有するため、主基部（１５）（図１、図２、図３、図４、及び図５）に直接的に溶接される。この第２オプションでは、以下の部分は不必要であるため、無効にされる：旋回取付部（２０）（図２及び図５）、その内部締金、及びその基部（２）（図２及び図５）；ロックピストン（３２）（図７）；案内部（１９）（図２及び図５）；取付捻子、留捻子、ロック留捻子、及び両方の混合球軸受。この場合、ロックピストン（３２）（図７）が存在しないため、無線制御ユニット（７４）（図６）の使用は必要ではないが、それは電気機械装置の後作業には不可欠である。
【００２５】
説明された両方のオプションが実現可能であり、これらの何れの使用の選択肢も複雑な装置の機能を変更しない。
【００２６】
レバー保持部（１０）（図１、図２、及び図３）は、締金（１１）（図１、図２、及び図３）によって、その揺動を可能にし、レバー（１４）（図１、図２、図３、及び図５）を保持することを意図し、その結果、制動円盤により；即ち、支持部（３）（図１及び図５）を有する上側制動円盤（４）（図１及び図５）と反対の他の支持部（７）（図１及び図５）を有する下側制動円盤（６）（図１及び図５）とにより制動円盤（５）（図１及び図５）の制動を達成する。従って、主基部（１５）（図１、図２、図３、図４、及び図５）に溶接された締付捻子（８）（図１及び図５）に通される。捻子（１２）（図１）は、連結部（５３）（図１）、レバー（１４）（図１、図２、図３、及び図５）、主基部（１５）（図１、図２、図３、図４、及び図５）、及び後者に載置される座金（３７）（図１）を通過し、留捻子（１３）（図１）とロック留捻子（５２）（図１）とに通されて終わる。これは、剛性のある管（１）（図２、図３、図５、図６、及び図７）と組み合わせて、制動円盤（５）（図１及び図５）の制動の調整を可能にする。
【００２７】
主基部（１５）（図１、図２、図３、図４、及び図５）に溶接され、クラッチ（６１）（図１及び図４）を有する軸（６２）（図１及び図４）を共有する歯車箱（６３）を有する電動機（６４）（図１及び図４）を保持する支持部（５８）（図１及び図４）が存在する。制動円盤（５）（図１及び図５）に歯合されると共にエンコーダ（７３）（図４）と巻取機（９）（図１及び図５）を支持する軸（７２）（図４及び図５）とを組み入れるダイバージョン（４０）（図１及び図４）によって支持される小歯車（５１）（図４）が存在する。これは、主基部（１５）（図１、図２、図３、図４、及び図５）に溶接された他の支持部（５４）（図１及び図５）により保持され、巻かれた係留索（３６）（図２、図３、図５、及び図６）を収容し、それは、剛性のある管（１）（図２、図３、図５、図６、及び図７）の先端（２８）（図２、図３、図６、及び図７）の反対端の内側制止器（２３）（図５）を有する軸（２４）（図５）、（２５）（図５）、（２６）（図５）を含むローラ（２７）（図５）に載置され、それを縦方向に通過し、クリップフックで終わり、そこで固定される：避難させられる人又は人々、及び錘を有するケーブル。これらの部品の全ての組み合わせにおいて、以下の一式により補足される：無線制御ユニット（７４）（図６）、無停電電源システム（７５）（図６）、蓄電器（７６）（図６）、及び電気基板（７７）（図６）が主要部に接続され、仮想の火災又は緊急時において、人又は人々の続いて起こる避難のために、建築物の所望の階にそれを配置することを目的として、係留索（３６）（図２、図３、図５、及び図６）の降下及び上昇が達成される。
【００２８】
先端（２８）（図２、図３、図６、及び図７）に溶接された末端（２９）（図２及び図３）により保持され、係留索（３６）（図２、図３、図５、及び図６）の案内と滑走を可能にする滑車（３５）（図２及び図３）を有する締金（３０）（図２及び図３）、（３１）（図２及び図３）、（３３）（図２及び図３）、（３４）（図２及び図３）が存在する。
【００２９】
主基部（１５）（図１、図２、図３、図４、及び図５）の上部に溶接され、制止器（５９）（図１及び図５）、（６０）（図５）を有する２つの電気ピストン（５６）（図１及び図５）、（５７）（図５）を保持し、支持部（６５）（図１及び図５）と目印（７１）（図１及び図５）とを有し、制動円盤（５）（図１及び図５）がその周辺に有する検出器（６６）（図１）、（６７）（図１及び図５）によって、それが所望するよりも高い回転数で回転する際に、これの完全制動と段階制動を許可する支持部（５５）（図１及び図５）が存在する。これが存在する場合、前述のピストンは、拡張すると共に空孔を通じて主基部（１５）（図１、図２、図３、図４、及び図５）を通過し、制動円盤（５）（図１及び図５）に載置される筐体（４５）（図１及び図５）、（４６）（図５）により覆われた発条（４１）（図１及び図５）、（４２）（図５）を押し、その制動を実行する。この全てと前述の電気電子組立体との組み合わせにより、無線制御ユニット（７４）（図６）による制動円盤（５）（図１及び図５）の自動制動又は手動制動（非常停止又は非常制動）が達成される。
【００３０】
筐体（４５）（図１及び図５）、（４６）（図５）は、保持部（３９）を有する調整器（７０）（図１及び図５）により主基部（１５）（図１、図２、図３、図４、及び図５）に保持され、その使途が、電気機械装置を利用する前に電気ピストン（５６）（図１及び図５）、（５７）（図５）の動きを確認し、確認できなければ安全のために作動させないように、筐体（４５）（図１及び図５）、（４６）（図５）の内部の制止器（５９）（図１及び図５）、（６０）（図５）の通過を検出することにある検出器（６８）（図１及び図５）、（６９）（図５）が配置される空孔を有する。
【００３１】
突然の電源異常が電気機械装置に存在する場合、自動的に、筐体（４７）（図１及び図５）、（４８）（図５）の内部に収容された発条（４３）（図１及び図５）、（４４）（図５）が電磁石（４９）（図１及び図５）、（５０）（図５）により押され、それと制動円盤（５）（図１及び図５）の組み合わせにより後者の完全制動を達成する。
【００３２】
電気電子基板（７７）（図６）を収容するキャビネットは、主要部に接続され、蓄電器（７６）（図６）を有する電気機械装置の無停電電源システム（７５）（図６）と、前述の装置に故障があるときに点灯し、これにより、それが作動していないことを警告する警告灯（７９）（図６）の電源のために、電源に引出し支持部（７８）（図６及び図７）を提供する。
【００３３】
電気機械装置とその動作の制御は、以下に説明されるような識別された以下のボタンを有する無線制御ユニット（７４）（図６）から実行される：
−「オン／非常停止（ＯＮ／ＥＳ）」、このボタンの活性化は、「リセット（Ｒ）」を押すことにより続き、剛性のある管（１）（図２、図３、図５、図６、及び図７）が作動位置に移動するようにその解除を可能にするロックピストン（３２）（図７）により電気機械装置の「起動」を達成する。剛性のある管（１）（図２、図３、図５、図６、及び図７）が固定される場合（先に説明された第２オプション）、「運用方法」は同一であり、即ち、「オン／非常停止」の活性化は、「リセット（Ｒ）」を押すことにより続き、装置が使える状態にある。
−「下降（↓）」、このボタンの長押しにより、ボタンが解放されるまで係留索（３６）（図２、図３、図５、及び図６）が停止点まで下降する。
−「上昇（↑）」、このボタンの長押しにより、ボタンが解放されるまで係留索（３６）（図２、図３、図５、及び図６）が停止位置まで上昇する。
−「制動（Ｂ）」、このボタンの長押しにより、制動円盤（５）（図１及び図５）の完全制動が達成されまた係留索（３６）（図２、図３、図５、及び図６）の停止とこれに固定された人又は人々の下降が行われる。このボタンは、我々が著しく速められた降下速さ（例：２ｍ／秒を超える）を歓迎する場合に押されるが、我々がボタンを解放すれば降下は継続する。
【００３４】
避難時は、人々の降下率は著しく速められ（例：２ｍ／秒を超える）、我々は「オン／非常停止」を押し、人又は人々は停止して吊され続け、装置と無線制御ユニット（７４）（図６）のボタンの全てが遮断される。電気機械装置の「始動」のために、我々は「オン／非常停止」を活性化し、その後、「リセット」を押す。この動作は、前述の装置と無線制御ユニット（７４）（図６）のボタンの全ての遮断解除を実行し、人又は人々の降下の継続を可能にする。
【００３５】
無線制御ユニット（７４）（図６）は、警告灯（７９）（図６）と同時に点灯すると共に無線制御ユニット（７４）（図６）により、我々に電気機械装置のあらゆる要素又はこの通信の損失の故障の警告をするダイオードを有し、結果として、安全上の理由により、装置は作動不能となる。
【００３６】
電気機械装置が動作中に突然及び／又は継続する停電が起こった場合、装置の運転及び動作の継続は、無停電電源システム（７５）（図６）のおかげで影響を受けない。
【００３７】
先に説明されるもののより深い理解と電気機械装置の操作のために、以下の説明が一例として添付される：
仮想の２０階の建築物で火災が発生し、例えば、１２階と１５階から８階に２人が救助を要求している場合、避難と装置の制御のために、建築物の周辺の視界の良いところで、無線制御ユニット（７４）（図６）を使用し、「オン／非常停止」を活性化し、その後、「リセット」を押すことにより、装置を始動する。その後、「下降」ボタンを長押しし、係留索（３６）（図２、図３、図５、及び図６）が所望の階（例えば、１５ａ）に至ったところでボタンを解放し、係留索（３６）（図２、図３、図５、及び図６）が停止する。予め配置された避難ハーネスとマスクとを有する避難者を安全クリップフックによって係留索（３６）（図２、図３、図５、及び図６）に固定し、その後、彼女／彼を建築物の外壁に沿って自由に降ろす。機械的に（及び電気電子補助を使用するそれを停止して）、彼女／彼は適度な速度（約１．５ｍ／秒から２ｍ／秒）で地上に降下する。安全であれば彼女／彼を係留索（３６）（図２、図３、図５、及び図６）に取り付けるクリップフックを人的に解放し、次の結合と避難を容易にするために、無線制御ユニット（７４）（図６）により、「上昇」ボタンを押し続け、再び係留索（３６）（図２、図３、図５、及び図６）を所望する階（１２ａ）に配置したところでボタンを解放し、これを停止する。この点で、「運用方法」を必要に応じて何度も繰り返す。
【００３８】
避難時の降下中に、通信の損失により、電源、無停電電源システム（７５）、電気ピストン（５６、５７）、検出器（６６、６７）、又は無線制御ユニット（７４）が故障した場合：安全のために電磁石（４９、５０）が自動的に活性化され、それらは人又は人々の降下を制動し停止すると共に彼らを吊されたままにする。
【００３９】
前述の全ての組み合わせにより、火災又はあらゆる形態の緊急時に建築物のあらゆる高さから人々の救助のために、自主的に、性能と安全、十分と必要を有する、火災時に建築物から避難させることを意図する電気機械装置の提供を可能とする。
【００４０】
本発明の性質及び機能の範囲と共に好適な形態を説明したが、それはここにその点において明示され、電気機械装置の構成要素の製造のために使用された材料、部品、形状、寸法、及びその色、及び一般に全てとその付属品又は二次的特徴は、独立且つ多様に、改造、変更、修正、又は不可欠な要素に影響を与えずに提供される。
【図１】
2015513428.tif 000003
【図２】
2015513428.tif 000004
【図３】
2015513428.tif 000005
【図４】
2015513428.tif 000006
【図５】
2015513428.tif 000007
【図６】
2015513428.tif 000008
【図７】
2015513428.tif 000009
【国際調査報告】
2015513428.tif 000010
2015513428.tif 000011
2015513428.tif 000012
2015513428.tif 000013
2015513428.tif 000014
2015513428.tif 000015